(57)【要約】【課題】色変換テーブルが実現する画質に対する評価を容易化する。【解決手段】入力表色系における複数の格子点に対して出力表色系における色情報を対応付けた色変換テーブルを取得し、当該色情報に基づく画質の指標であって少なくとも粒状性と黒色の発生有無とを、所定の機器非依存表色系において表現した画像を、所定の表示部に表示させる画像表示装置とした。また、上記粒状性を、機器非依存表色系において示す点の密度によって表現し、上記黒色の発生有を表現する場合に、上記色情報に基づいて決定される黒色のドットサイズの違いを併せて表現する。【選択図】図１０
2013131883.tif 000002
【特許請求の範囲】
【請求項１】
入力表色系における複数の格子点に対して出力表色系における色情報を対応付けた色変換テーブルを取得し、当該色情報に基づく画質の指標であって少なくとも粒状性と黒色の発生有無とを、所定の機器非依存表色系において表現した画像を、所定の表示部に表示させることを特徴とする画像表示装置。
【請求項２】
上記粒状性を、機器非依存表色系において示す点の密度によって表現することを特徴とする請求項１に記載の画像表示装置。
【請求項３】
上記黒色の発生有を表現する場合に、上記色情報に基づいて決定される黒色のドットサイズの違いを併せて表現することを特徴とする請求項１または請求項２に記載の画像表示装置。
【請求項４】
上記機器非依存表色系における、画質に関する所定の基準を満たさない指標を有する範囲にのみ、指標を表現することを特徴とする請求項１〜請求項３のいずれかに記載の画像表示装置。
【請求項５】
上記画質の指標であって、階調性、使用されるインク量、非色恒常性および光沢度のいずれか一つ以上の指標を所定表色系においてグラデーションで表現した画像を、さらに表示させることを特徴とする請求項１〜請求項４のいずれかに記載の画像表示装置。
【請求項６】
上記黒色の発生有無に対する変更指示を、上記表示部に表示した画像に対する操作により受け付けた場合に、当該変更指示に従って黒色の発生を変更した色変換テーブルを生成することを特徴とする請求項１〜請求項５のいずれかに記載の画像表示装置。
【請求項７】
上記粒状性を向上させる指示を、上記表示部に表示した画像に対する操作により受け付けた場合に、上記入力表色系で表現された画像データに対して上記色変換テーブルを用いた色変換処理および粒状性を向上させるための所定の画像処理を施すことを特徴とする請求項１〜請求項６のいずれかに記載の画像表示装置。
【請求項８】
上記請求項１〜請求項７のいずれかの画像表示装置を備えることを特徴とする印刷装置。
【発明の詳細な説明】
【技術分野】
【０００１】
本発明は、画像表示装置および印刷装置に関する。
【背景技術】
【０００２】
入力表色系における複数の格子点に対して出力表色系における色情報を対応付けた色変換テーブルが知られている。色変換テーブルは、入力表色系で表現された画像データを、出力表色系（例えば、プリンターが使用する色材の表色系）の画像データに変換するために用いられる。色変換テーブルによって変換された画像データが再現する画像の画質（色変換テーブルが実現する画質、と表現する。）は、色変換テーブル毎に異なる。つまり、色変換後の画像データによって同じ色の画像が再現されていたとしても、色変換に用いられた色変換テーブルが異なっていれば、画質（例えば、粒状性）は異なり得る。
ここで、デバイスの色再現範囲や画像の色分布等をＬ*ａ*ｂ*表色系によりモニターに表示する技術が知られている（特許文献１参照）。
【先行技術文献】
【特許文献】
【０００３】
【特許文献１】特開２００６‐１８００６３号公報
【発明の概要】
【発明が解決しようとする課題】
【０００４】
上述したように、色変換テーブルが実現する画質は、そのテーブル毎に異なる。そのため、生成された或いは生成途中の色変換テーブルを正当に評価するには、それが実現する画質の程度を把握する必要があった。しかしながら、色変換テーブルが実現する画質の程度を把握するには、色変換テーブルによる色変換後の画像データをプリンターで印刷して評価する等、煩雑であった。また、上記文献によれば、モニターを通して視覚的にデバイスの色再現範囲を把握することはできるが、上述したような色変換テーブルが実現する種々の画質の程度を視覚的に把握することはできない。
【０００５】
本発明は上記課題を解決するためになされたものであり、色変換テーブルが実現する画質を視覚的に把握させることが可能な画像表示装置および印刷装置を提供する。
【課題を解決するための手段】
【０００６】
本発明にかかる画像表示装置の態様の一つは、入力表色系における複数の格子点に対して出力表色系における色情報を対応付けた色変換テーブルを取得し、当該色情報に基づく画質の指標であって少なくとも粒状性と黒色の発生有無とを、所定の機器非依存表色系において表現した画像を、所定の表示部に表示させる構成としてある。
当該構成によれば、ユーザーは、色変換テーブルによって実現される画質の指標である粒状性や黒色の発生有無が機器非依存表色系において表現された画像を、表示部を介して視認することができるため、当該色変換テーブルを容易かつ正当に評価することができる。
【０００７】
本発明の態様の一つとして、画像表示装置は、上記粒状性を、機器非依存表色系において示す点の密度によって表現するとしてもよい。当該構成によれば、機器非依存表色系において分布する点の密度を視認することで、色変換テーブルによる色再現範囲のうちどの範囲において粒状性が悪いか（粒状感が目立つか）を容易に知ることができる。
【０００８】
本発明の態様の一つとして、画像表示装置は、上記黒色の発生有を表現する場合に、上記色情報に基づいて決定される黒色のドットサイズの違いを併せて表現するとしてもよい。当該構成によれば、機器非依存表色系において分布する黒色の発生有無を示す情報を視認することで、色変換テーブルによる色再現範囲のどこにどのようなドットサイズ（黒色）が発生するかを併せて知ることができる。
【０００９】
本発明の態様の一つとして、画像表示装置は、上記機器非依存表色系における、画質に関する所定の基準を満たさない指標を有する範囲にのみ、指標を表現するとしてもよい。当該構成によれば、機器非依存表色系における色変換テーブルによる色再現範囲のうち、画質が低い（例えば、粒状性が悪い）範囲を端的に把握することができる。
【００１０】
本発明の態様の一つとして、画像表示装置は、上記画質の指標であって、階調性、使用されるインク量、非色恒常性および光沢度のいずれか一つ以上の指標を所定表色系においてグラデーションで表現した画像を、さらに表示させる構成としてもよい。当該構成によれば、上記粒状性や黒色の発生有無に加えて、階調性、使用されるインク量、非色恒常性および光沢度といった各種指標が表示部を通して視覚的に把握できるため、ユーザーは、色変換テーブルを容易かつ正当に評価することができる。
【００１１】
本発明の態様の一つとして、画像表示装置は、上記黒色の発生有無に対する変更指示を、上記表示部に表示した画像に対する操作により受け付けた場合に、当該変更指示に従って黒色の発生を変更した色変換テーブルを生成する構成としてもよい。当該構成によれば、ユーザーは、上記画像が表示された表示部に対して所望の操作をすることにより、黒色の発生条件を最適化させた色変換テーブルを容易に得ることができる。
【００１２】
本発明の態様の一つとして、画像表示装置は、上記粒状性を向上させる指示を、上記表示部に表示した画像に対する操作により受け付けた場合に、上記入力表色系で表現された画像データに対して上記色変換テーブルを用いた色変換処理および粒状性を向上させるための所定の画像処理を施すとしてもよい。当該構成によれば、ユーザーは、色変換テーブルが実現する画質が粒状性の点で満足できない場合であっても、色変換テーブルを用いた色変換処理と上記画像処理を組合せることで、実質的に粒状性が良好な画像を得ることができる。
【００１３】
本発明にかかる技術的思想は画像表示装置という形態のみで実現されるものではなく、例えば、上述した画像表示装置が実行する処理工程を有する画像表示方法の発明や、上述した画像表示装置が実現する機能を所定のハードウェア（コンピューター）に実行させる画像表示プログラムの発明なども、把握することが可能である。また、画像表示装置は、それ単体で存在してもよいし、複数の装置からなるシステムとして実現されてもよいし、他の装置（例えば、印刷装置）の一部として組み込まれていてもよい。
【図面の簡単な説明】
【００１４】
【図１】装置のハードウェア構成及びソフトウェア構成を示す図である。
【図２】フォワードモデルコンバーターとインバースモデル初期ＬＵＴを例示する図である。
【図３】色変換ＬＵＴ作成処理の概略を示すフローチャートである。
【図４】初期ＬＵＴの設定処理を示すフローチャートである。
【図５】初期ＬＵＴを例示する図である。
【図６】画質指標表示処理の概略を示すフローチャートである。
【図７】画質指標表示設定画面の一例を示す図である。
【図８】画質指標表示画面の一例を示す図である。
【図９】画質指標表示画面の他の例を示す図である。
【図１０】画質指標表示画面の他の例を示す図である。
【図１１】画質指標表示画面の他の例を示す図である。
【図１２】画質指標表示画面の他の例を示す図である。
【図１３】画質指標表示画面に表示される内容の一部を例示する図である。
【図１４】画質指標表示画面の他の例を示す図である。
【図１５】画質指標表示画面においてユーザーが操作可能な入力ツールを表示した様子を例示する図である。
【図１６】画像表示装置としてのプリンターの構成を示す図である。
【発明を実施するための形態】
【００１５】
以下、図面を参照しながら本発明の実施形態を説明する。
１．装置等の概略構成
図１は、本実施形態にかかる画像表示装置１等のハードウェア構成およびソフトウェア構成を示している。画像表示装置１はコンピューター１０およびディスプレー３０（表示部）を有する。コンピューター１０およびディスプレー３０は、ラップトップ型ＰＣあるいはタブレット型コンピューター等のように、それらが一体的に構成されていてもよいし、互いに別体の装置であってもよい。コンピューター１０においては、ＣＰＵ１２が、ハードディスクドライブ（ＨＤＤ）１１等の記憶手段に記憶されたプログラムを読み込み、プログラムをＲＡＭ１３等の内部メモリーに展開しながらプログラムに従った演算を実行することにより、初期ＬＵＴ設定部１４、インク量決定部１５、色変換ＬＵＴ作成部１６、画質指標表示部１７、画像処理部１８、フォワードモデルコンバーターＦＭ、光沢度コンバーターＳＭ等の各機能を実現する。これらの各機能については後述する。
【００１６】
ＨＤＤ１１には、作成された色変換ルックアップテーブル（ＬＵＴ）４００が格納されたり、インバースモデル初期ＬＵＴ４１０等が格納されたりする。色変換ＬＵＴ４００は、所定の入力表色系（例えばｓＲＧＢ表色系）の複数の格子点（座標値）に対して出力表色系（例えばプリンター２０が使用するインクの表色系）における色情報（インク量セット）を対応付けた色変換テーブルである。本実施形態では、一例として、Ｃ（シアン）インク、Ｍ（マゼンタ）インク、Ｙ（イエロー）インク、Ｋ（ブラック）インク、Ｌｃ（ライトシアン）インク、Ｌｍ（ライトマゼンタ）インクといった複数のインクを利用するプリンター２０を想定する。インク量セットとは、これら複数のインク毎のインク量（階調値）の組み合わせである。インバースモデル初期ＬＵＴ４１０については後述する。
【００１７】
コンピューター１０は、プログラムに従った演算を実行し、印刷装置としてのプリンター２０をＵＳＢインターフェイス（Ｉ／Ｆ）２１等を介して制御することにより印刷制御装置としても機能する。つまりコンピューター１０では、画像処理部１８が、各画素の色が上記入力表色系の座標値で表された画像データを取得し、当該画像データを、作成された色変換ＬＵＴ４００を使用して画素単位で色変換し、色変換後の画像データ（各画素がインク量セットで表現された画像データ）にハーフトーン処理やマイクロウィーブ処理等の各種画像処理を行って印刷データを生成し、当該印刷データをＵＳＢＩ／Ｆ２１等を介してプリンター２０に出力することも可能である。プリンター２０は、当該印刷データに基づく印刷を実行する。むろん、コンピューター１０とプリンター２０が赤外線や無線ＬＡＮ等の他のインターフェイスによって接続されていてもよい。コンピューター１０は、ビデオインターフェイス（Ｉ／Ｆ）３１を介してディスプレー３０と接続されており、入力インターフェイス（Ｉ／Ｆ）４１を介してキーボードやマウスやタッチパッドやタッチパネル等の操作部４０と接続されている。
【００１８】
図２Ａに示すように、フォワードモデルコンバーターＦＭは、分光プリンティングモデルコンバーターＲＣと、色コンバーターＣＣとで構成される。フォワードモデルコンバーターＦＭは、インク量セットを機器非依存表色系の色彩値（測色値）に変換する変換モデルである。また図２Ｂに示すように、インバースモデル初期ＬＵＴ４１０は、逆に、機器非依存表色系の色彩値をインク量セットに変換する変換モデルである。本実施形態では、機器非依存表色系の一例としてＣＩＥＬＡＢ表色系を使用する。以下では、ＣＩＥＬＡＢ表色系の色彩値を「Ｌ*ａ*ｂ*」と表記する。
【００１９】
フォワードモデルコンバーターＦＭの前段を構成する分光プリンティングモデルコンバーターＲＣは、複数種類のインクのインク量を、そのインク量に応じて印刷されるカラーパッチの分光反射率Ｒ（λ）に変換する。本明細書において「カラーパッチ」という用語は、有彩色のパッチに限らず、無彩色のパッチも含む広い意味で使用される。フォワードモデルコンバーターＦＭの後段を構成する色コンバーターＣＣは、分光プリンティングモデルコンバーターＲＣによって得られた分光反射率Ｒ（λ）から色彩値Ｌ*ａ*ｂ*を算出する。フォワードモデルコンバーターＦＭを用いたインク量セットから色彩値への変換は、予め設定された光源（例えば、観察対象の印刷用紙の面に対して４５度の角度で照射する標準の光Ｄ６５）や印刷用紙（例えば光沢紙）やカラーパッチの観察条件（例えば、観察対象の印刷用紙の面に正対する観察位置）を前提として実行される。分光プリンティングモデルコンバーター、色コンバーターについての構成や機能は、適宜、特表２００７‐５１１１７５号公報や特開２００８‐２６３５７９号公報を参照する。
【００２０】
インバースモデル初期ＬＵＴ４１０は、例えば、Ｌ*ａ*ｂ*空間を複数の小セルに区分し、小セル毎に最適なインク量セットを選択して登録したものである。この選択は、例えば、そのインク量セットで印刷されるカラーパッチの画質を考慮して行われる。一般に、１つのＬ*ａ*ｂ*値を再現可能なインク量セットは多数存在する。そこで、インバースモデル初期ＬＵＴ４１０では、ほぼ同じＬ*ａ*ｂ*値を再現する多数のインク量セットの中から、画質等の所望の観点から最適なインク量セットを選択したものが登録されている。インバースモデル初期ＬＵＴ４１０の入力値であるＬ*ａ*ｂ*値は各小セルの代表値である。一方、出力値であるインク量セットはそのセル内のいずれかのＬ*ａ*ｂ*値を再現するものである。従って、インバースモデル初期ＬＵＴ４１０では、入力値であるＬ*ａ*ｂ*値と出力値であるインク量セットとが厳密に対応したものとなっておらず、出力値のインク量セットをフォワードモデルコンバーターＦＭでＬ*ａ*ｂ*値に変換すると、インバースモデル初期ＬＵＴ４１０の入力値とは多少異なる値が得られる。但し、インバースモデル初期ＬＵＴ４１０として、入力値と出力値とが完全に対応するものを利用してもよい。小セル毎に最適なインク量セットを選択してインバースモデル初期ＬＵＴ４１０を作成する方法としては、例えば特表２００７‐５１１１７５号公報に記載された方法を採用可能である。
【００２１】
２．色変換ＬＵＴ作成処理
本実施形態では、画像表示装置１は、色変換ＬＵＴ４００が実現する画質を評価するための画像表示をディスプレー３０において実行するものであるが、以下ではまず、評価対象となる色変換ＬＵＴ４００を作成する処理について説明する。
図３は、コンピューター１０がプログラムに従って実行する色変換ＬＵＴ作成処理の概略をフローチャートにより示している。
ステップＳ１００では、主に初期ＬＵＴ設定部１４の機能により、インク量セットの決定対象となる複数の格子点を有する初期ＬＵＴ５１０が設定される。
図４は、ステップＳ１００の処理の詳細をフローチャートにより示している。
ステップＳ１１０では、初期ＬＵＴ設定部１４は、初期ＬＵＴ５１０作成のための初期値をユーザーによる操作部４０の操作に応じて設定する。
【００２２】
図５は、初期ＬＵＴ５１０の構成とその初期値設定の例を示している。初期ＬＵＴ５１０の入力値としては、所定の入力表色系における入力値、例えばＲＧＢ（レッド、グリーン、ブルー）の各値として予め定められたほぼ等間隔の値が設定される。１組のＲＧＢ値はＲＧＢ色空間内の点を表しているので、１組のＲＧＢ値が初期ＬＵＴ５１０における入力格子点に該当する。ステップＳ１１０においては、複数の入力格子点のうちから予め選択された幾つかの少数の入力格子点に対するインク量セットの初期値がユーザーによって入力される。この初期値が設定される入力格子点としては、ＲＧＢ色空間における３次元色立体の頂点に相当する入力格子点を少なくとも選択することが好ましい。この３次元色立体の頂点では、ＲＧＢの各値がその定義範囲の最小値または最大値を取る。具体的には、ＲＧＢの各値を８ビットで表現した場合には、（Ｒ，Ｇ，Ｂ）＝（０，０，０）、（０，０，２５５）、（０，２５５，０）、（２５５，０，０）、（０，２５５，２５５）、（２５５，０，２５５）、（２５５，２５５，０）、（２５５，２５５，２５５）である８つの入力格子点に関してインク量セットの初期値が設定される。なお、（Ｒ，Ｇ，Ｂ）＝（２５５，２５５，２５５）の入力格子点に対するインク量は、すべて０に設定される。上記選択された他の入力格子点に対するインク量セットの初期値は任意であり、例えば０に設定される。
【００２３】
ステップＳ１２０では、初期ＬＵＴ設定部１４は、インク量セットの初期値（図５）に基づいて、他の入力格子点についてのインク量セットを決定する。例えば、以下の（１）式、（２）式に従って、ある入力格子点ＲＧＢに対応するインク量Ｉ j(R,G,B)が決定される。
【数１】
2013131883.tif 000003
【数２】
2013131883.tif 000004
インク量Ｉ j(R,G,B)の添え字ｊは、インク量セットを構成するインク種類毎に対応しており、本実施形態のようにインク種類がＣ，Ｍ，Ｙ，Ｋ，Ｌｃ，Ｌｍの６種類であれば、ｊ＝１〜６である。ＲＧＢ値が０または２５５を取る入力格子点に対するインク量Ｉ j(0,0,0)，Ｉ j(0,0,255)…は、ステップＳ１１０においてユーザーによって予め入力された値である。（１）式および（２）式によれば、任意のＲＧＢ値におけるインク量Ｉ j(R,G,B)を求めることが可能であり、かかるインク種類毎のインク量Ｉ j(R,G,B)を組み合わせた情報が、当該任意のＲＧＢ値におけるインク量セットとして決定される。以下では、各インク種類Ｃ，Ｍ，Ｙ，Ｋ，Ｌｃ，Ｌｍのインク量Ｉjからなるインク量セットを（Ｃ，Ｍ，Ｙ，Ｋ，Ｌｃ，Ｌｍ）と表記する。
【００２４】
ステップＳ１３０では、初期ＬＵＴ設定部１４は、ステップＳ１２０までの処理で得られた入力格子点毎のインク量セットを、フォワードモデルコンバーターＦＭを用いて色彩値Ｌ*ａ*ｂ*に変換する。この結果、初期ＬＵＴ５１０の各入力格子点に対応付けられた各色彩値Ｌ*ａ*ｂ*が得られる。
【００２５】
ステップＳ１４０では、初期ＬＵＴ設定部１４は、ステップＳ１３０で得られた各色彩値Ｌ*ａ*ｂ*を、インバースモデル初期ＬＵＴ４１０を用いてインク量セットに再度変換する。インバースモデル初期ＬＵＴ４１０を用いてインク量セットに再度変換する理由は、インク量セットの初期値やステップＳ１２０で決定されたインク量セットの値が、色彩値Ｌ*ａ*ｂ*を再現するインク量セットとして必ずしも好ましい値では無いからである。一方、インバースモデル初期ＬＵＴ４１０では、画質等を考慮した好ましいインク量セットが登録されているので、これを用いて色彩値Ｌ*ａ*ｂ*をインク量セットに再度変換すれば、その色彩値Ｌ*ａ*ｂ*を実現するための好ましいインク量セットを各入力格子点について得ることができる。但し、ステップＳ１４０は省略してもよい。
【００２６】
上述のステップＳ１００の処理の結果、以下の値が設定された初期ＬＵＴ５１０が得られる。
初期ＬＵＴ５１０の入力格子点の値：（Ｒ，Ｇ，Ｂ）
各入力格子点に対応する色彩値：（Ｌ*，ａ*，ｂ*）
各入力格子点に対応するインク量セット：（Ｃ，Ｍ，Ｙ，Ｋ，Ｌｃ，Ｌｍ）
初期ＬＵＴ５１０におけるインク量セットは、後述する処理によって最適化されていくため、それらの値に厳密な正しさは求められない。よって、ステップＳ１００の処理は上述したものに限られず、所定の入力表色系における複数の入力格子点について、何らかのインク量セットを規定した情報を初期ＬＵＴ５１０として取得できればよい。
【００２７】
ステップＳ２００（図３）では、主にインク量決定部１５の機能により、初期ＬＵＴ５１０の入力格子点の中から、インク量セットの決定処理の対象となる入力格子点（対象格子点）が順次選択され、選択された対象格子点について、インク量セットの最適化によるインク量セットの決定処理が実行される。ある一つの対象格子点に対応付けられるインク量セット（Ｃ，Ｍ，Ｙ，Ｋ，Ｌｃ，Ｌｍ）を最適化する処理について説明する。インク量決定部１５は、一例として、以下の（３）式で評価関数Ｅpを求めることによりインク量セットを最適化する。
【数３】
2013131883.tif 000005
【００２８】
あるインク量セットに関して算出された評価関数Ｅpは、その値が小さければ小さいほどインク量セットによる総合的な印刷パフォーマンス（画質）が高いことを示す。ψは、インク量セット（Ｃ，Ｍ，Ｙ，Ｋ，Ｌｃ，Ｌｍ）を表している。（３）式の第１項は印刷物の粒状性を表す粒状性指数ＧＩを有する項であり、第２項は印刷色の光源変動に対する非色恒常性（カラーインコンスタンシー）を表す非色恒常性指数ＣＩＩを有する項であり、第３項は印刷物の階調性（色の変化の滑らかさ）を表す階調性指数ＳＩを有する項であり、第４項はインク量セットを構成するインク量の総和を表すトータルインク量指数ＴＩを有する項である。評価関数Ｅpを構成するいずれの項も、同一のスケール（例えば０〜１．０）で正規化されたスカラーであり、値が小さいほどパフォーマンス（画質）が高い。また、各パフォーマンス要素に対応する第１項〜第４項を所定の重み係数ｗ1，ｗ2，ｗ3，ｗ4によって重みを調整しつつ線形結合することにより、総合的な印刷パフォーマンス（画質）が評価可能な評価関数Ｅpを定義している。
【００２９】
インク量決定部１５は、対象格子点について評価関数Ｅpを極小化させるインク量セット（Ｃ，Ｍ，Ｙ，Ｋ，Ｌｃ，Ｌｍ）を順次算出していく。例えば、インク量空間における初期のインク量セット（初期ＬＵＴ５１０において入力格子点に対応付けられたインク量セット）の位置から局所的にインク量セットを移動させ、その際に評価関数Ｅpを極小化させるインク量セットを算出していく。これにより、インク量空間におけるインク量セットの位置が評価関数Ｅpを極小化させる方向に修正されたこととなる。さらに、修正後の位置から同様に局所的にインク量セットを移動させ、その際に評価関数Ｅpを極小化させるインク量セットを算出していく。以上のような処理を繰り返し（例えば２００回）実行することにより、最終的には対象格子点についてのインク量セットを評価関数Ｅpが極めて小さくなる（総合的な印刷パフォーマンスが高い）値に最適化することができ、この最適化されたインク量セットをもって、対象格子点についてのインク量セットと決定する。なお、以上のインク量セットの移動（更新）を規定回数行うことをもってインク量セットの最適化を完了させてもよいし、評価関数Ｅpの値が所定の閾値を下回ることをもって当該最適化を完了させてもよい。
【００３０】
この最適化処理においては順次更新されるインク量セット（Ｃ，Ｍ，Ｙ，Ｋ，Ｌｃ，Ｌｍ）について評価関数Ｅpを算出することが必要となるが、その際には、順次更新されるインク量セットに対応する粒状性指数ＧＩや色恒常性指数ＣＩＩや階調性指数ＳＩやトータルインク量指数ＴＩが算出され、評価関数Ｅpが求められる。最適化を行う際にも分光プリンティングモデルコンバーターＲＣと色コンバーターＣＣが色彩値Ｌ*ａ*ｂ*の予測を行う。なお、本実施形態において、特開２００６‐１９７０８０号公報に開示された格子点の最適化の手法を適用することもできる。この場合、インク量空間にて評価関数Ｅpを０とする方向の仮想的な力を各格子点に作用させ、当該力によってインク量空間における格子点の位置を定常状態に収束させればよい。
【００３１】
なお、インク量セットに対応した粒状性指数ＧＩは、各種の粒状性予測モデルを用いて算出可能であり、例えば以下の（４）式で算出することができる。
【数４】
2013131883.tif 000006
（４）式のａLは明度補正項、ＷＳ（ｕ）は画像のウイナースペクトラム、ＶＴＦは視覚の空間周波数特性、ｕは空間周波数である。粒状性指数ＧＩはカラーパッチをスキャナー等で撮像した画像データを画像平面に関してフーリエ変換することにより、画像に存在する空間波のパワースペクトルを得るとともに、当該パワースペクトルに対して視覚の空間周波数特性ＶＴＦを畳み込むことにより算出される。なお、画像データは明度の画像データを使用するのが一般的である。このように粒状性指数ＧＩは、カラーパッチ内に存在する明度の空間波の大きさを空間周波数特性ＶＴＦによる重み付けを考慮して全空間周波数に関して累積した値であるといえる。したがって、目立ちやすい粒状性を定量化することができる。なお、明度補正項ａLによって全体の明度の粒状性指数ＧＩへの寄与を減殺している。粒状性指数ＧＩの算出については、Makoto Fujino,Image Quality Evaluation of Inkjet Prints, Japan Hardcopy '99, p.291-294や、特表２００７‐５１１１６１号公報や、特開２００８‐２６３５７９号公報の記載を用いる。
【００３２】
インク量セットに対応した非色恒常性指数ＣＩＩは、色コンバーターＣＣ等を用いて、例えば以下の（５）式で算出することができる。
【数５】
2013131883.tif 000007
（５）式のΔＬ*は２つの異なる観察条件下（異なる光源下）におけるカラーパッチの明度差、ΔＣ*abは彩度差、ΔＨ*abは色相差を示す。非色恒常性指数ＣＩＩの計算時には、２つの異なる観察条件下でのＬ*ａ*ｂ*値は、色順応変換（ＣＡＴ）を用いて標準観察条件（例えば標準の光Ｄ６５の観察下）に変換される。色恒常性指数ＣＩＩの算出については、Billmeyer and Saltzman's Principles of Color Technology， 3rd edition， John Wiley & Sons， Ｉnc， 2000， p.129， pp. 213-215や、特開２００８‐２６３５７９号公報の記載を用いる。
【００３３】
インク量セットに対応した階調性指数ＳＩは、例えば、対象格子点と当該対象格子点に隣接する複数の入力格子点（複数の隣接格子点）との色彩値の差（Ｌ*ａ*ｂ*色空間における距離。色差。）の平均値あるいは最小値である。隣接格子点の色彩値Ｌ*ａ*ｂ*は、隣接格子点についてのインク量セットをフォワードモデルコンバーターＦＭに入力することにより得られる。対象格子点についての色彩値Ｌ*ａ*ｂ*も、そのとき評価関数Ｅpを算出するために用いられている（更新過程の）インク量セットをフォワードモデルコンバーターＦＭに入力することにより得られる。あるいは、インク量セットに対応した階調性指数ＳＩは、対象格子点と当該対象格子点に隣接する複数の入力格子点（複数の隣接格子点）とのインク量の差（Ｃインクの差、Ｍインクの差、Ｙインクの差、Ｋインクの差、Ｌｃインクの差、Ｌｍインクの差）の最大値あるいは平均値である。
【００３４】
インク量決定部１５は、初期ＬＵＴ５１０の全ての入力格子点について対象格子点としインク量セットの決定処理を行なう。
ステップＳ３００（図３）では、上記のように入力格子点毎のインク量セットが最適化により決定された後の初期ＬＵＴ５１０に基づいて、色変換ＬＵＴ作成部１６が色変換ＬＵＴ４００を作成する。この場合、色変換ＬＵＴ作成部１６は、入力格子点毎の上記最適化されたインク量セット（Ｃ，Ｍ，Ｙ，Ｋ，Ｌｃ，Ｌｍ）に対応した色彩値Ｌ*ａ*ｂ*をフォワードモデルコンバーターＦＭによって算出する。そして、互いに対応する色彩値Ｌ*ａ*ｂ*とインク量セット（Ｃ，Ｍ，Ｙ，Ｋ，Ｌｃ，Ｌｍ）との対応関係を記述したインクプロファイルを作成する。そして色変換ＬＵＴ作成部１６は、当該インクプロファイルに基づいて色変換ＬＵＴ４００を作成する。
【００３５】
上述したように色変換ＬＵＴ４００は、例えばｓＲＧＢ表色系の座標値をプリンター２０が使用する複数種類のインクのインク量の組み合わせ（インク量セット）に変換するための色変換テーブルである。ｓＲＧＢ表色系についてはＣＩＥ標準に基づいてＣＩＥＬＡＢ表色系との対応関係（ｓＲＧＢプロファイル）が定められている。そのため、インクプロファイルに規定された色彩値Ｌ*ａ*ｂ*によってｓＲＧＢ表色系の所定数（例えば、１６の３乗個）のＲＧＢ値とインクプロファイルに規定されたインク量セット（Ｃ，Ｍ，Ｙ，Ｋ，Ｌｃ，Ｌｍ）との対応関係を特定しプロファイル化することで、色変換ＬＵＴ４００が作成できる。
【００３６】
ただし本実施形態において作成される色変換ＬＵＴ４００は、ｓＲＧＢ表色系とインク表色系（インク量セット）との対応関係を記載したものに限られず、色彩値Ｌ*ａ*ｂ*とインク表色系との対応関係（上記インクプロファイル）を記述したものや、ＣＭＹ表色系やＣＭＹＫ表色系とインク表色系との対応関係を記述したものなど、インク表色系と他の表色系との関係を記述したものでもよい。また、上述した色変換ＬＵＴ４００の作成手順はごく一例であり、ある入力表色系の格子点に対してインク量セットを対応付けた色変換ＬＵＴ４００を作成可能な手順であれば、どのような手順を採用してもよい。また、画像表示装置１は、色変換ＬＵＴ４００を作成する機能を必ずしも有している必要は無い。画像表示装置１は、自ら色変換ＬＵＴ４００を作成しなくても、色変換ＬＵＴ４００をＨＤＤ１１等の記憶手段に保持しているか、外部装置から入力して保持すれば良い。
【００３７】
３．画質指標表示処理
次に、画像表示装置１が実行する、色変換ＬＵＴ４００による画質を評価するための画質指標表示処理について説明する。
図６は、コンピューター１０がプログラムに従って実行する画質指標表示処理の概略をフローチャートにより示している。当該処理は、主に、画質指標表示部１７の機能により実行される。
ユーザーが任意のタイミングで操作部４０を操作し、画質指標表示処理の開始をコンピューター１０に対して指示した場合に、一例として図７に示したような画質指標表示設定画面３１がディスプレー３０に表示される。
【００３８】
ユーザーは、操作部４０を操作することにより、画質指標表示設定画面３１内のＬＵＴ選択欄３１ａにおいて、評価対象とする色変換ＬＵＴを任意に選択することができる。選択欄３１ａには、現在、評価対象とすることができる色変換ＬＵＴが一覧表示されている。色変換ＬＵＴは、例えば、プリンター２０の機種毎や印刷に使用するメディア（印刷用紙）種毎に、ＨＤＤ１１等に格納されている。
【００３９】
さらにユーザーは、操作部４０を操作することにより、画質指標表示設定画面３１内の表示表色系選択欄３１ｂにおいて、後述する指標をグラフィック表示するための表色系を任意に選択することができる。ここでは、Ｌ*ａ*ｂ*表色系や、ｓＲＧＢ表色系を選択することができる。さらにユーザーは、操作部４０を操作して画質指標表示設定画面３１内に設けられた複数のチェックボックス３１ｃのいずれかをチェックすることにより、各チェックボックス３１ｃに対応して表示されている複数種類の指標（粒状性、Ｋ発生点、階調性、インク量、カラーインコンスタンシー、光沢度、等）の中からグラフィック表示したい指標を任意に選択することができる。グラフィック表示する指標は、一つだけ選んでも良いし、複数選んでも良い。このような選択を終えた後、ユーザーは操作部４０を操作することにより、画質指標表示設定画面３１内のＯＫボタン３１ｄをクリックする。その結果、ステップＳ４００以下の処理が実行される。
【００４０】
ステップＳ４００では、画質指標表示部１７は、画質指標表示設定画面３１にて評価対象として選択された一つの色変換ＬＵＴ４００（例えば、ｓＲＧＢ表色系の格子点毎にインク量セットを対応付けた色変換ＬＵＴ４００）をＨＤＤ１１等から取得する（読み込む）。
ステップＳ４２０では、画質指標表示部１７は、上記取得した色変換ＬＵＴ４００が格子点毎に規定したインク量セットに基づいて、画質指標表示設定画面３１にて選択された指標を取得（算出等）する。ここでは、一例として「粒状性」および「Ｋ発生点」が選択されているものとする。「粒状性」は、上記評価関数における第１項（粒状性指数ＧＩを有する項）を意味するため、画質指標表示部１７は、色変換ＬＵＴ４００が規定するインク量セット毎の「粒状性」を算出する。また「Ｋ発生点」とは、Ｋインク量が発生している格子点を意味する。画質指標表示部１７は、色変換ＬＵＴ４００のインク量セットにおけるＫインクのインク量が０ではない格子点に対しＫインク量有りを意味するフラグ「１」を付与し、Ｋインクのインク量が０である格子点に対しＫインク量無し、を意味するフラグ「０」を付与する。
【００４１】
また、画質指標表示部１７は、画質指標表示設定画面３１にて指標「階調性」が選択されている場合は、色変換ＬＵＴ４００のインク量セット毎に、上記評価関数における第３項（階調性指数ＳＩを有する項）を算出する。このとき、周囲の格子点との色変化が滑らかでない（階調性が悪い）箇所が把握し易くなるように、階調性指数ＳＩとして、対象格子点と隣接格子点とのインク量の差の最大値を採用すると好適である。
また、画質指数表示部１７は、画質指標表示設定画面３１にて指標「インク量」が選択されている場合は、色変換ＬＵＴ４００のインク量セット毎に、上記評価関数における第４項（トータルインク量指数ＴＩを有する項）を算出する。あるいは代わりに、インク量セットを構成するＣＭＹＫＬｃＬｍのインク量のうち特定のインク量（最大のインク量）を、色変換ＬＵＴ４００の格子点毎の指標「インク量」としてもよい。
また、画質指標表示部１７は、画質指標表示設定画面３１にて指標「カラーインコンスタンシー」が選択されている場合は、色変換ＬＵＴ４００のインク量セット毎に、上記評価関数における第２項（非色恒常性指数ＣＩＩを有する項）を算出する。
【００４２】
また、画質指標表示部１７は、画質指標表示設定画面３１にて指標「光沢度」が選択されている場合は、色変換ＬＵＴ４００の格子点毎のインク量セットおよび光沢度コンバーターＳＭ（図１）に基づいて、インク量セット毎に「光沢度」を算出する。ここで「光沢度」とは、インク量セットによって再現されるカラーパッチを正反射の観察条件で測色したときに得られる色彩値Ｌ*によって表される。光沢度コンバーターＳＭは、上述したフォワードモデルコンバーターＦＭと同様に、インク量セットを入力して色彩値Ｌ*ａ*ｂ*を出力する変換モデルである。しかし、フォワードモデルコンバーターＦＭが観察対象面に対して４５度の入射角で光源を照射し観察対象面に正対する位置で観察した場合を前提に構築（学習）されているのに対し、光沢度コンバーターＳＭは観察対象面に対して４５度の入射角で光源を照射し観察対象面からの４５度の反射光を観察した場合を前提に構築（学習）されている点で異なる。画質指標表示部１７は、色変換ＬＵＴ４００の格子点毎のインク量セットを光沢度コンバーターＳＭに入力することにより、インク量セットに対応する「光沢度」（光沢度コンバーターＳＭが出力する色彩値Ｌ*）を取得する。
【００４３】
このようにインク量セットに基づいて取得された指標は、画質指標表示設定画面３１にて選択された表色系の格子点に対応付けられる。選択された表色系がｓＲＧＢ表色系であれば、各指標は、指標取得の元となったインク量セットが対応するｓＲＧＢ表色系の格子点に対応付けられる。また、選択された表色系がＬ*ａ*ｂ*表色系であれば、各指標は、指標取得の元となったインク量セットが対応するＬ*ａ*ｂ*値（インク量セットをフォワードモデルコンバーターＦＭに入力することにより得られるＬ*ａ*ｂ*値）に対応付けられる。
【００４４】
ステップＳ４４０では、画質指標表示部１７は、ステップＳ４２０で取得された、指標と画質指標表示設定画面３１にて選択された表色系の格子点との対応関係を、補間する。これら対応関係は、色変換ＬＵＴ４００が規定する格子点の数分だけしか得られていないからである。例えば、画質指標表示設定画面３１にて選択された表色系がｓＲＧＢ表色系であれば、ｓＲＧＢ表色系における補間対象の格子点（取得された指標が対応付けられていない格子点）についての指標を、近隣の格子点（取得された指標が対応付けらている格子点）との関係に基づいて例えば四面体補間等の手法で算出し、当該補間対象の格子点に対応付ける。同様に、画質指標表示設定画面３１にて選択された表色系がＬ*ａ*ｂ*表色系であれば、Ｌ*ａ*ｂ*表色系における補間対象の格子点（取得された指標が対応付けられていない格子点）についての指標を、近隣の格子点（取得された指標が対応付けらている格子点）との関係に基づいて四面体補間等の手法で算出し、当該補間対象の格子点に対応付ける。
【００４５】
なお、「Ｋ発生点」を示す指標は「０」又は「１」の値であるが、上記のように補間をすると、補間により生成された指標は０から１の間の値となってしまう。そこで、補間された「Ｋ発生点」の指標については、例えば所定のしきい値に従って「０」又は「１」の値に強制的に振り分けるものとする。
ステップＳ４６０では、画質指標表示部１７は、ステップＳ４４０までの処理で取得された指標と画質指標表示設定画面３１にて選択された表色系の格子点との対応関係を、ディスプレー３０に画質指標表示画面としてグラフィック表示させる。
【００４６】
図８は、ステップＳ４６０においてディスプレー３０に表示される画像の一例として、画質指標表示画面３２を示している。図８の例では、グラフィック表示するための表色系としてＬ*ａ*ｂ*表色系が選択された状態で指標「粒状性」を示している。画質指標表示画面３２では、評価対象の色変換ＬＵＴ４００による色再現範囲（色立体）ＣＳの断面であって、Ｌ*軸およびｂ*軸を通過する断面（Ｌ*ｂ*平面、ａ*＝０、以下同様。）をグラフィック表示している。ｂ*軸の＋方向は、黄方向に対応しており、ＬＵＴの色再現範囲の中でも黄色に対応する領域で特に粒状性が劣る（粒状感が目立つ）傾向が多く見られる。そのため、粒状性を評価するための画質指標表示画面３２では、Ｌ*ｂ*平面を表示することにより、特に黄色近辺での粒状性を把握し易いようにしている。
【００４７】
画質指標表示画面３２では、色再現範囲ＣＳ内における粒状性の程度を、点（あるいは丸印など）の密度により表している。具体的には、粒状性が良好な領域ほど点の密度を上げ、粒状性が悪い領域ほど点の密度を疎にしている。なお、指標としての粒状性は、色再現範囲ＣＳ内の格子点毎に求められているため、画質指標表示画面３２では、例えば、色再現範囲ＣＳ内を分割した所定の単位領域毎に粒状性の平均値を求め、単位領域毎の平均値に応じて単位領域内に表示する上記点の密度を変えている。かかる表示によれば、ユーザーは、点の密疎を見ることで、色変換ＬＵＴ４００による色再現範囲ＣＳのどの領域で粒状性が劣っているかを、正確かつ容易に把握することができる。
【００４８】
なお図８に示した例では、色再現範囲ＣＳの断面のうち、鎖線で囲った一部範囲においてのみ粒状性の程度を示す点を分布させて描画している。当該一部範囲は、色再現範囲ＣＳの中でも特に粒状性が劣ると予測される範囲、つまり画質に関する所定の基準を満たさない指標を有する範囲である。このように、色再現範囲ＣＳ全体に亘って指標（粒状性）の程度を分布にて表現するのではなく、指標（粒状性）の程度を特に確認すべき範囲（上記一部範囲）にのみ描画することで、ユーザーに対して、指標（粒状性）の程度が問題となっている箇所を端的に知らせることができる。ただし、色再現範囲ＣＳ全体に亘って指標の程度を描画してもよい。
【００４９】
上記のように画質に関する所定の基準を満たさない指標を有する範囲にのみ、指標の程度を描画する場合、その基準の決め方は様々である。一例として、ユーザーがこの基準を設定するとしてもよい。例えば指標値としての「粒状性」であれば、ユーザーが予め所定のしきい値を当該基準として設定しておき、色再現範囲ＣＳのうち当該しきい値より大きい粒状性を有する領域に限定して図８に示したような点の密度による粒状性の程度を表現する。あるいは、印刷結果における粒状性の重要度は、印刷用紙の種類によっても異なる。例えば、普通紙に画像を印刷する場合は、粒状感が多少目立ってもユーザーはそれほど問題視しないことが多い。そこで、印刷用紙（評価対象とされている色変換ＬＵＴ４００の使用時に選定される印刷用紙）の種類に応じて上記基準としてのしきい値（例えば、普通紙のしきい値＞光沢紙のしきい値）が定められており、色再現範囲ＣＳのうち印刷用紙に応じた当該しきい値より大きい粒状性を有する領域に限定して図８に示したような点の密度による粒状性の程度を表現するとしてもよい。
【００５０】
図９は、ステップＳ４６０においてディスプレー３０に表示される画像の一例として、画質指標表示画面３３を示している。上述したように、画質指標表示設定画面３１（図７）にて選択された指標は「粒状性」および「Ｋ発生点」であるため、指標「Ｋ発生点」に対応する画質指標表示画面３３も表示される。画質指標表示画面３３は、例えば、画質指標表示画面３２（図８）のボタン３２ａがユーザーによりクリック操作されることで、ディスプレー３０に表示される。あるいは、画質指標表示画面３２および画質指標表示画面３３の内容は、同じ画面内に同時表示されるとしてもよい。画質指標表示画面３３でも、画質指標表示画面３２と同様に、色変換ＬＵＴ４００による色再現範囲ＣＳのＬ*ｂ*平面をグラフィック表示している。これは、Ｋインクの発生は印刷物の粒状性に大きな影響を与えるものであり且つ黄色領域は粒状性が劣り易い領域だからである。
【００５１】
画質指標表示画面３３では、色再現範囲ＣＳ内における各格子点のうち「Ｋ発生点」を示すフラグ「１」が付与されている格子点の位置を点（あるいは丸印など）により表している。ただし図９では、色再現範囲ＣＳ内において高明度側でＫインクが発生する境界近辺の各格子点についてのみ、フラグ「１」に従った点を表記しており、当該境界よりも低明度側にある各格子点（基本的にＫインクが発生している格子点）については、便宜上、点の表記を省略している。かかる表示によれば、ユーザーは、点の位置を見ることで、色変換ＬＵＴ４００による色再現範囲ＣＳにおいてどの程度の明度からＫインクが発生するのかや、黄色領域近辺におけるＫインクの発生開始点などを、正確かつ容易に把握することができる。
【００５２】
図１０は、ステップＳ４６０においてディスプレー３０に表示される画像の一例として、画質指標表示画面３４を示している。画質指標表示画面３４は、画質指標表示画面３２（図８）と同様に、色再現範囲ＣＳのＬ*ｂ*平面のうち一部範囲において粒状性の程度を示す点を分布させて描画していると同時に、Ｋインクのドットサイズ毎の発生を示している。印刷に用いられるプリンター２０は、ドットあたりのインク吐出量が異なる（ドットサイズが異なる）ドットを吐出可能であり、例えば、ドットサイズが異なる３種類のドット（大きい順に大ドット、中ドット、小ドット）を吐出可能である。また、このような大、中、小ドットの発生は、基本的には画像データの画素を表現するインク量セットにおけるインク量に従って決定される。従って、色変換ＬＵＴ４００の各格子点にそれぞれ対応付けられたＫインクのインク量は、単にインク量の有り無し、だけではなく、インク量有りの場合に、大、中、小ドットのいずれを発生させるかをも略規定していると言える。そこで画質指標表示画面３４では、粒状性の程度を示す分布を構成する各点（図形）の形を、大ドットの発生を意味する第１形状（四角）、中ドットの発生を意味する第２形状（三角）、小ドットの発生を意味する第３形状（丸印）によって表している。なお、粒状性の程度を示す分布を構成する各点（図形）の形を、第１，２，３形状のいずれで表現するかは、例えば、上記粒状性の平均の算出対象となった単位領域毎のＫインクのインク量平均値に応じて決定する。むろん、このような大、中、小ドットの表現の区別は、図形の違いではなく色（あるいは濃淡）の違いによって行なっても良い。画質指標表示画面３４は、画質指標表示画面３２，３３の替わりに表示してもよいし、画質指標表示画面３２，３３に加えて表示してもよい。画質指標表示画面３４によれば、ユーザーは、粒状性の程度の分布と、大、中、小ドットの発生の分布とを同時に把握することができる。
【００５３】
図１１は、ステップＳ４６０においてディスプレー３０に表示される画像の一例として、画質指標表示画面３５を示している。図１１の例では、図８〜１０と異なり、色変換ＬＵＴ４００による色再現範囲ＣＳの断面であって、ａ*軸およびｂ*軸を通過する断面（ａ*ｂ*平面、Ｌ*＝５０。）をグラフィック表示している。表示されている指標は、例えば「粒状性」である。画質指標表示画面３５の例では、ａ*ｂ*平面を、粒状性の違いに応じて複数（図１１では３つ）の領域に分け、それぞれの領域に異なるカラー（あるいは濃度が異なる同色）を付して描画している。図１１では、粒状性が最も悪い領域に密なハッチングを付し、粒状性が次に悪い領域に疎なハッチングを付し、粒状性が最も良好な領域にはハッチングを付さないことにより、領域間のカラー等の違いを便宜的に示している。
【００５４】
あるいは、画質指標表示部１７は、図１２に例示するような画質指標表示画面３５をグラフィック表示してもよい。図１２は、図１１とは異なり、色再現範囲ＣＳ（ａ*ｂ*平面）において、指標（粒状性）の違いに応じて複数の領域に分けるのではなく、指標の違いに応じて画面上のカラーの濃淡を連続的に変化させたグラデーションを描画している。例えば、粒状性が悪い位置は濃く表示し、粒状性が良好な位置は薄く表示する。ユーザーは、このような画質指標表示画面３５を見ることで、色再現範囲ＣＳにおいて粒状性のむらを正確且つ容易に評価することができる。画質指標表示画面３５は、画質指標表示画面３２，３３，３４の替わりに表示してもよいし、画質指標表示画面３２，３３，３４に加えて表示してもよい。
【００５５】
むろん、ステップＳ４６０では、画質指標表示設定画面３１（図７）にて選択された指標が「階調性」、「インク量」、「カラーインコンスタンシー」、「光沢度」等であっても、それらの指標が、画質指標表示画面において表示される。例えば、図１１，１２は粒状性について表示しているが、同様に、色再現範囲ＣＳにおける各位置の「階調性」の違いに応じて各位置の濃淡を異ならせたグラデーション等を表示することも可能である。同様に、色再現範囲ＣＳにおける各位置の「インク量」の違いに応じて各位置の濃淡を異ならせたグラデーション等を表示したり、色再現範囲ＣＳにおける各位置の「カラーインコンスタンシー」の違いに応じて各位置の濃淡を異ならせたグラデーション等を表示したり、色再現範囲ＣＳにおける各位置の「光沢度」の違いに応じて各位置の濃淡を異ならせたグラデーション等を表示することも可能である。ユーザーは、このような表示結果を見ることで、色変換ＬＵＴ４００による色再現範囲における、階調性のむら、位置に応じたインク量の増減が良好であるか否か、非色恒常性のむら、光沢度のむら等を正確且つ容易に評価することができる。
【００５６】
なお図８〜図１２では、Ｌ*ａ*ｂ*表色系における色再現範囲ＣＳの特定の断面を例示したが、画質指標表示画面に表示する色再現範囲ＣＳの断面は、上述したものに限られない。また、画質指標表示画面では色再現範囲ＣＳをいずれかの断面により表すのではなく、図１３に例示するような３次元の色立体として描画し、その立体に対して指標の分布を表すとしてもよい。図１３では、色再現範囲ＣＳを表す色立体の面に、格子点毎の指標（「階調性」、「インク量」、「カラーインコンスタンシー」、「光沢度」等）の程度をグラデーションにより表現した例を示している。むろんこのようなグラデーションは、図１３に示すような一曲面だけでなく色立体の全体に施される。
【００５７】
さらに図１４は、ステップＳ４６０においてディスプレー３０に表示される画像の一例として、画質指標表示画面３６を示している。図１４の例では、グラフィック表示するための表色系としてｓＲＧＢ表色系が選択された状態で、上述した指標（例えば「インク量」）の分布をグラデーション表示した場合を示している。
【００５８】
このように本実施形態によれば、評価対象とした色変換ＬＵＴ４００について、格子点毎のインク量セットに基づいて画質にかかわる各種指標を取得し、所定の表色系（機器非依存表色系など）においてそれらの指標の分布をディスプレー３０上でグラフィック表示するとした。そのため、ディスプレー３０を介してこれらを視認したユーザーは、評価対象とした色変換ＬＵＴ４００が実現する画質を、様々な判断要素に基づいて正当かつ容易に評価することができる。なお、本実施形態において評価対象とする色変換ＬＵＴは、図３に示すフローチャートにより一旦完成された色変換ＬＵＴだけに限られず、作成途中（例えば、一部の格子点についてインク量セットの最適化を終えた状態）のＬＵＴであってもよい。つまり、作成途中のＬＵＴを、画質指標表示処理の対象として評価することにより、その後のＬＵＴの作成指針を適切に修正することができる。
【００５９】
４．その他の実施形態
本発明は上述した実施形態に限られるものではなく、その要旨を逸脱しない範囲において種々の態様において実施することが可能であり、例えば以下に述べるような実施形態も可能である。各実施形態を適宜組み合わせた内容も、本発明の開示範囲である。なお以下では、これまでに説明した事項と同様の事項については、適宜説明を省略する。
【００６０】
これまでは、色変換ＬＵＴ４００が実現する画質を評価するための画質指標表示画面をディスプレー３０に出力する場面について説明したが、ディスプレー３０における表示内容に基づいて、ユーザーが色変換ＬＵＴ４００の修正（再作成）を指示するとしてもよい。例えば、ユーザーが、色変換ＬＵＴ４００におけるＫ発生点の変更を指示するとしてもよい。
【００６１】
例えば、図１５に示すように、画質指標表示画面３３（図９）に、ユーザーが操作部４０を介して操作可能な入力ツールを表示させる。ここでは入力ツールの一例として操作バーＢＡを示している。ユーザーは、操作部４０を操作することにより、操作バーＢＡの位置をＬ*軸方向において上下させることで、Ｋ発生点に対応するＬ*値を指定することができる。このようにユーザーによるＫ発生点のＬ*値の指定がされた場合、インク量決定部１５は、当該指定および画質指標表示画面３３で評価対象とされている色変換ＬＵＴ４００に基づいて、ステップＳ２００（図３）の処理を実行する。つまり、当該評価対象とされていた色変換ＬＵＴ４００を初期ＬＵＴとみなしつつ、初期ＬＵＴの格子点に対応付けられているインク量セットを順次最適化していく。
【００６２】
このとき、インク量決定部１５は、上述した評価関数を用いて最適なインク量セットを決定していくが、上記指定されたＫ発生点のＬ*よりも高いＬ*値を有する色彩値（Ｌ*ａ*ｂ*表色系における座標値）に対応するインク量セットを決定する際には、Ｋインク量を０としたインク量セットの中で最適なインク量セットを決定する。ステップＳ２００の後は、ステップＳ３００が、色変換ＬＵＴ作成部１６によって実行される。この結果、画質指標表示画面３３を介してユーザーにより指定されたＫ発生点の制限が遵守された色変換ＬＵＴ４００が生成される。
【００６３】
さらにユーザーは、上述の画質指標表示画面を確認した結果、評価対象とした色変換ＬＵＴ４００が実現する粒状性に対して満足できない場合は、粒状性を向上させる旨の指示を、操作部４０を介して行なうことができる。かかる指示を受け付けた場合、例えば、色変換ＬＵＴ作成部１６は、粒状性を向上させる旨の指示があったことを示す所定の付帯情報を、上記評価対象となった色変換ＬＵＴ４００に付加した状態でＨＤＤ１１に保存する。
【００６４】
そして、画像処理部１８は、ユーザーが任意に指定した画像データに基づく印刷処理（印刷データの生成）を実行する際、色変換処理に利用する色変換ＬＵＴ４００に上記付帯情報が有るか否か判定し、付帯情報が有る場合には、粒状性を向上させるための所定の画像処理を画像データに施す。つまり、色変換ＬＵＴ４００による色変換後の画像データが表現する画像の粒状性の低さ（粒状感の目立ち）を解消させるような画像処理を行なう。ここで言う画像処理とは、例えば、所定のフィルターを用いた画像のぼかし処理であり、画像をぼかす（にじませる）ことで粒状感を抑える。当該画像処理を実行するタイミングは、例えば色変換処理後である。また、ユーザーが画質指標表示画面を見て特に粒状性が低いと判断して指示した色域（例えば黄色）が表現されている画像データ上の範囲に限定して、上述したようなぼかし処理を行なうとしてもよい。かかる構成によれば、色変換ＬＵＴ４００の能力では実現できない画質（粒状性）を画像処理で補うことにより、実質的にユーザーが満足する画質を印刷結果において得ることができる。
【００６５】
図１６は、本発明にかかる画像表示装置の一例に該当するプリンター２０の構成を示している。つまり、プリンター２０によって画像表示装置が具現化されてもよい。プリンター２０においては、ＣＰＵ５０が、ＲＡＭ５１やＲＯＭ等の内部メモリーにおいて、所定のプログラムに従った演算を実行することにより、上述したコンピューター１０と同様の機能である、画質指標表示部１７、画像処理部１８、光沢度コンバーターＳＭ等の各機能を実現する。またプリンター２０は、各種ボタンやタッチパネル等による操作部５６を介して、ユーザーからの各種指示を入力する。プリンター２０では、画像処理部１８が、各画素の色が上記入力表色系の座標値で表された画像データを取得し、当該画像データを、上記コンピューター１０等からＩ／Ｆ５４を介して取得した色変換ＬＵＴ４００を使用して色変換し、色変換後の画像データにハーフトーン処理やマイクロウィーブ処理等の各種画像処理を行って印刷データを生成し、当該印刷データに基づいた印刷をプリンターエンジン５３に実行させる。またプリンター２０は、画質指標表示部１７や光沢度コンバーターＳＭ等を備えることで、上述したコンピューター１０と同様に、ディスプレー５５において、色変換ＬＵＴ４００を評価するための画質指標表示処理（図６）を行なうことができる。
【００６６】
本明細書において「インク」とは、インクジェットプリンターやオフセット印刷等に用いられる液体状インクに限らず、レーザープリンタに用いられるトナーも含む広い意味で使用されている。このような「インク」の広い意味を有する他の用語としては、「色材」や「着色材」、「着色剤」を用いることも可能である。
【符号の説明】
【００６７】
１…画像表示装置、１０…コンピューター、１１…ＨＤＤ、１２…ＣＰＵ、１３…ＲＡＭ、１４…初期ＬＵＴ設定部、１５…インク量決定部、１６…色変換ＬＵＴ作成部、１７…画質指標表示部、１８…画像処理部、２０…プリンター、３０…ディスプレー、３１…画質指標表示設定画面、３２，３３，３４，３５，３６…画質指標表示画面、４０…操作部、５０…ＣＰＵ、５１…ＲＡＭ、５３…プリンターエンジン、５５…ディスプレー、５６…操作部、４００…色変換ＬＵＴ、４１０…インバースモデル初期ＬＵＴ、５１０…初期ＬＵＴ、ＦＭ…フォワードモデルコンバーター、ＲＣ…分光プリンティングモデルコンバーター、ＣＣ…色コンバーター、ＳＭ…光沢度コンバーター、ＣＳ…色再現範囲
【図１】
2013131883.tif 000008
【図２】
2013131883.tif 000009
【図３】
2013131883.tif 000010
【図４】
2013131883.tif 000011
【図５】
2013131883.tif 000012
【図６】
2013131883.tif 000013
【図７】
2013131883.tif 000014
【図８】
2013131883.tif 000015
【図９】
2013131883.tif 000016
【図１０】
2013131883.tif 000017
【図１１】
2013131883.tif 000018
【図１５】
2013131883.tif 000019
【図１６】
2013131883.tif 000020
【図１２】
2013131883.tif 000021
【図１３】
2013131883.tif 000022
【図１４】
2013131883.tif 000023